【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
物体側から順に並んだ、正の屈折力を有する第１レンズ群と、前側レンズ群と、正の屈折力を有する中間レンズ群と、後側レンズ群とを有し、
前記前側レンズ群は、１以上のレンズ群からなり、負レンズ群を有し、
前記中間レンズ群は、少なくとも一部が合焦レンズ群であり、
前記後側レンズ群は、１以上のレンズ群からなり、
変倍の際に、前記第１レンズ群を像面に対して移動させ、前記第１レンズ群と前記前側レンズ群との間隔が変化し、前記前側レンズ群と前記中間レンズ群との間隔が変化し、前記中間レンズ群と前記後側レンズ群との間隔が変化し、
光軸と垂直方向の変位成分を持つように移動可能に構成した防振レンズ群を有し、
以下の条件式を満足する変倍光学系。
−１．５００＜ｆＶ／ｆＲＦ＜０．６４５
０．０１０＜（−ｆＸｎ）／ｆＸＲ＜１．０００
但し、ｆＶ：前記防振レンズ群の焦点距離
ｆＲＦ：前記後側レンズ群のうち、最も物体側のレンズ群の焦点距離
ｆＸｎ：前記前側レンズ群が有する負レンズ群のうち、屈折力の絶対値が最大のレンズ群の焦点距離
ｆＸＲ：前記前側レンズ群のうち、最も像側のレンズ群の焦点距離
【請求項２】
物体側から順に並んだ、正の屈折力を有する第１レンズ群と、前側レンズ群と、正の屈折力を有する中間レンズ群と、後側レンズ群とを有し、
前記前側レンズ群は、１以上のレンズ群からなり、負レンズ群を有し、
前記中間レンズ群は、少なくとも一部が合焦レンズ群であり、
前記後側レンズ群は、１以上のレンズ群からなり、
変倍の際に、前記第１レンズ群を像面に対して移動させ、前記第１レンズ群と前記前側レンズ群との間隔が変化し、前記前側レンズ群と前記中間レンズ群との間隔が変化し、前記中間レンズ群と前記後側レンズ群との間隔が変化し、
光軸と垂直方向の変位成分を持つように移動可能に構成した防振レンズ群を有し、
以下の条件式を満足する変倍光学系。
−１．５００＜ｆＶ／ｆＲＦ＜０．６４５
０．１００＜ＤＧＸＲ／ｆＸＲ＜１．５００
但し、ｆＶ：前記防振レンズ群の焦点距離
ｆＲＦ：前記後側レンズ群のうち、最も物体側のレンズ群の焦点距離
ＤＧＸＲ：前記前側レンズ群のうち、最も像側のレンズ群の光軸上の厚み
ｆＸＲ：前記前側レンズ群のうち、最も像側のレンズ群の焦点距離
【請求項３】
物体側から順に並んだ、正の屈折力を有する第１レンズ群と、前側レンズ群と、正の屈折力を有する中間レンズ群と、後側レンズ群とを有し、
前記前側レンズ群は、１以上のレンズ群からなり、負レンズ群を有し、
前記中間レンズ群は、少なくとも一部が合焦レンズ群であり、
前記後側レンズ群は、１以上のレンズ群からなり、
変倍の際に、前記第１レンズ群を像面に対して移動させ、前記第１レンズ群と前記前側レンズ群との間隔が変化し、前記前側レンズ群と前記中間レンズ群との間隔が変化し、前記中間レンズ群と前記後側レンズ群との間隔が変化し、
光軸と垂直方向の変位成分を持つように移動可能に構成した防振レンズ群を有し、
以下の条件式を満足する変倍光学系。
−１．５００＜ｆＶ／ｆＲＦ＜０．６４５
０．０１０＜ｆＦ／ｆＸＲ＜１０．０００
但し、ｆＶ：前記防振レンズ群の焦点距離
ｆＲＦ：前記後側レンズ群のうち、最も物体側のレンズ群の焦点距離
ｆＦ：前記合焦レンズ群の焦点距離
ｆＸＲ：前記前側レンズ群のうち、最も像側のレンズ群の焦点距離
【請求項４】
以下の条件式を満足する請求項１または３に記載の変倍光学系。
０．１００＜ＤＧＸＲ／ｆＸＲ＜１．５００
但し、ＤＧＸＲ：前記前側レンズ群のうち、最も像側のレンズ群の光軸上の厚み
ｆＸＲ：前記前側レンズ群のうち、最も像側のレンズ群の焦点距離
【請求項５】
前記後側レンズ群は、少なくとも２つ以上のレンズ群からなる請求項１〜４のいずれかに記載の変倍光学系。
【請求項６】
前記後側レンズ群は、２つのレンズ群からなる請求項１〜５のいずれかに記載の変倍光学系。
【請求項７】
以下の条件式を満足する請求項１〜６のいずれかに記載の変倍光学系。
−２０．０００＜ｆＦ／ｆＶ＜２０．０００
但し、ｆＦ：前記合焦レンズ群の焦点距離
【請求項８】
以下の条件式を満足する請求項１〜７のいずれかに記載の変倍光学系。
−１．０００＜ＤＶＷ／ｆＶ＜１．０００
但し、ＤＶＷ：広角端状態における前記防振レンズ群とその直後のレンズとの空気間隔
【請求項９】
以下の条件式を満足する請求項１〜８のいずれかに記載の変倍光学系。
２．２５０＜ＴＬＷ／ＺＤ１＜１０．０００
但し、ＴＬＷ：広角端状態における光学系の全長
ＺＤ１：広角端状態から望遠端状態に変倍したときの前記第１レンズ群の移動量
【請求項１０】
以下の条件式を満足する請求項１〜９のいずれかに記載の変倍光学系。
０．０００＜（ｒＣ＋ｒＢ）／（ｒＣ−ｒＢ）＜１０．０００
但し、ｒＢ：前記合焦レンズ群の最も物体側のレンズ面の曲率半径
ｒＣ：前記合焦レンズ群の最も像面側のレンズ面の曲率半径
【請求項１１】
以下の条件式を満足する請求項１〜９のいずれかに記載の変倍光学系。
−０．５００＜（ｒＣ＋ｒＢ）／（ｒＣ−ｒＢ）＜０．５００
但し、ｒＢ：前記合焦レンズ群の最も物体側のレンズ面の曲率半径
ｒＣ：前記合焦レンズ群の最も像面側のレンズ面の曲率半径
【請求項１２】
以下の条件式を満足する請求項１〜１１のいずれかに記載の変倍光学系。
−１０．０００＜ｆＲＦ／ｆＲＦ２＜１０．０００
但し、ｆＲＦ：前記後側レンズ群のうち、最も物体側のレンズ群の焦点距離
ｆＲＦ２：前記後側レンズ群のうち、物体側から２番目のレンズ群の焦点距離
【請求項１３】
前記前側レンズ群は、最も物体側に前記負レンズ群を配置する請求項１〜１２のいずれかに記載の変倍光学系。
【請求項１４】
前記前側レンズ群は、１つのレンズ群からなる請求項１〜１３のいずれかに記載の変倍光学系。
【請求項１５】
請求項１〜１４のいずれかに記載の変倍光学系を搭載する光学機器。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】変更
【補正の内容】
【００１６】
第３の本発明に係る変倍光学系は、物体側から順に並んだ、正の屈折力を有する第１レンズ群と、前側レンズ群と、正の屈折力を有する中間レンズ群と、後側レンズ群とを有し、前記前側レンズ群は、１以上のレンズ群からなり、負レンズ群を有し、前記中間レンズ群は、少なくとも一部が合焦レンズ群であり、前記後側レンズ群は、１以上のレンズ群からなり、変倍の際に、前記第１レンズ群を像面に対して移動させ、前記第１レンズ群と前記前側レンズ群との間隔が変化し、前記前側レンズ群と前記中間レンズ群との間隔が変化し、前記中間レンズ群と前記後側レンズ群との間隔が変化し、光軸と垂直方向の変位成分を持つように移動可能に構成した防振レンズ群を有し、以下の条件式を満足する。
−１．５００＜ｆＶ／ｆＲＦ＜０．６４５
０．０１０＜ｆＦ／ｆＸＲ＜１０．０００
但し、ｆＶ：前記防振レンズ群の焦点距離
ｆＲＦ：前記後側レンズ群のうち、最も物体側のレンズ群の焦点距離
ｆＦ：前記合焦レンズ群の焦点距離
ｆＸＲ：前記前側レンズ群のうち、最も像側のレンズ群の焦点距離
【手続補正４】
【補正対象書類名】明細書
【補正対象項目名】００１７
【補正方法】削除
【補正の内容】